(57)【要約】      （修正有）【課題】ケースと蓋とを備え、前記ケースの上端と蓋の後端とが回転連結され、前記ケースに引き出しが設けられ、前記引き出しとケースとが滑合する仏壇を提供する。【解決手段】構造が強固であり、ケース１とカバー本体に全て縁起のよい図案又は透かし彫りの模様が刻まれており、外形がきれいで、ケースとカバー本体とが回転連結され、折り畳んで保管しやすく、引き出し３が設けられており、引出しやすく、物を取りやすく、仏像収容チャンバと、経書収容チャンバと、仏像が置かれる平板１４と、貢ぎ物が置かれる引出し板１９と、線香が置かれる引出し部材とが設けられている。【選択図】図５
0003225516.tif 000002
【実用新案登録請求の範囲】
【請求項１】
ケース１と蓋２とを備え、前記ケース１の上端と蓋２の後端とが回転連結され、前記ケース１に引き出し３が設けられており、前記引き出し３とケース１とが滑合することを特徴とする、仏壇。
【請求項２】
前記蓋２は、蓋板４と、上仕切板５と、左仕切板６と、右仕切板７と、を備え、前記蓋板４の一端とケース１の上端とがヒンジ接合され、前記上仕切板５の一端と蓋板４におけるケース１から離れる一端とが連結され、前記左仕切板６の一端と蓋板４の側端とが連結され、前記左仕切板６と上仕切板５との２つずつの隣接端が互いに連結され、前記右仕切板７の一端と蓋板４における左仕切板６から離れる一端とが連結され、前記右仕切板７と上仕切板５との２つずつの隣接端が互いに連結されることを特徴とする、請求項１に記載の仏壇。
【請求項３】
前記上仕切板５における蓋板４から離れる一端に上ガセット板８が設けられており、前記上仕切板５と上ガセット板８とが蝶番２２を介して連結され、前記上ガセット板８にケース１のボトムに対応して磁石２５が設けられており、前記上ガセット板８とケース１とが磁石２５を介して接続され、前記左仕切板６における蓋板４から離れる一端に左ガセット板９が設けられており、前記左仕切板６と左ガセット板９とが蝶番２２を介して連結され、前記左ガセット板９にケース１のボトムに対応して磁石２５が設けられており、前記左ガセット板９とケース１とが磁石２５を介して接続され、前記右仕切板７における蓋板４から離れる一端に右ガセット板１０が設けられており、前記右仕切板７と右ガセット板１０とが蝶番２２を介して連結され、前記右ガセット板１０にケース１のボトムに対応して磁石２５が設けられており、前記右ガセット板１０とケース１とが磁石２５を介して接続されることを特徴とする、請求項２に記載の仏壇。
【請求項４】
前記上ガセット板８に第１の円弧形切欠き１１が設けられており、前記左ガセット板９に第２の円弧形切欠き１２が設けられており、前記右ガセット板１０に第３の円弧形切欠き１３が設けられており、前記上ガセット板８、左ガセット板９及び右ガセット板１０が閉じる時に第１の円弧形切欠き１１、第２の円弧形切欠き１２及び第３の円弧形切欠き１３が切欠きを有する円を形成し、前記左ガセット板９及び右ガセット板１０が閉じる時に連結されず、前記上ガセット板８、左ガセット板９及び右ガセット板１０に全て透かし彫りの模様が設けられていることを特徴とする、請求項３に記載の仏壇。
【請求項５】
前記蝶番２２は、第１の羽根２３と第２の羽根２４とを備え、前記第１の羽根２３と第２の羽根２４とが回転連結され、前記第２の羽根２４がＬ字状に折り曲げられ、前記第２の羽根２４と蓋２とがネジを介して連結されることを特徴とする、請求項３に記載の仏壇。
【請求項６】
前記ケース１の上端に、供仏される平板１４が設けられており、前記蓋板４における上仕切板５から離れる一端と平板１４の一端とがヒンジ接合されることを特徴とする、請求項２に記載の仏壇。
【請求項７】
前記蓋板４の外面に縁起のよい図案が刻まれていることを特徴とする、請求項２に記載の仏壇。
【請求項８】
前記引き出し３は、仏像収容チャンバ１５と、経書収容チャンバ１６と、引出し部材１７とを備え、前記仏像収容チャンバ１５と経書収容チャンバ１６とが隣接し、前記引き出し３における経書収容チャンバ１６の上端にシュート１８が対称的に設けられており、前記シュート１８内に引出し板１９が設けられており、前記引出し板１９とシュート１８とが滑合し、前記引出し部材１７が経書収容チャンバ１６のボトムに設けられ、前記引出し部材１７と引き出し３とが滑合し、前記引出し部材１７の真中に切り欠き２０が設けられており、前記切り欠き２０が引出し部材１７の一端から他端まで貫通することを特徴とする、請求項１に記載の仏壇。
【請求項９】
前記引き出し３の先端に長方形の切欠き２１が設けられており、前記引き出し３の先端に縁起のよい図案が刻まれていることを特徴とする、請求項１に記載の仏壇。
【請求項１０】
前記仏壇全体は木質のものであり、前記ケース１の左右両端に縁起のよい図案が刻まれていることを特徴とする、請求項１に記載の仏壇。
【考案の詳細な説明】
【技術分野】
【０００１】
本考案は、宗教祭礼用具に関し、詳しくは仏壇に関する。
【背景技術】
【０００２】
長い歴史を持っている中国の伝統宗教文化において、人々は信仰のために、神仏を祭る小箱（仏壇とも言う）を家やある店のロビーに祭る。或いは、亡くなった親族への懐しさと哀悼の念を寄せるために、工匠に亡人の名前を木製の位牌に刻んでもらい、仏壇として供養の意を表してもよい。なかでも、仏壇であっても、又は位牌であっても、何れも引き出し無しの簡単な形であることが多く、かつ装飾性を有しない。関連技術中の仏壇は全て体積が大き過ぎて、保管・輸送運搬しにくい。特に部屋や店を借りる多くの人たちにとって、このような問題がより一層著しくなる。その上、神や仏に加護を願う、又は先祖を供養する場合、仏壇の前に供え物を置かなければならない。このような仏壇のデメリットは、供養する形が単一であり、異なる要求に応じて神仏の来臨を願う場合、異なる神位が異なる仏壇で祭ることを必要とし、神像の神位を交換できないことである。この種の問題について新型の仏壇が設計されている。
【考案の概要】
【０００３】
本考案が解決しようとする課題は上記技術のデメリットを克服し、仏壇を提供することである。
【０００４】
上記課題を解決するために、本考案は以下の技術方案を提供する。ケースと、蓋とを備え、前記ケースの上端と蓋の後端とが回転連結され、前記ケースに引き出しが設けられており、前記引き出しとケースとが滑合する仏壇。
【０００５】
改善として、前記蓋は、蓋板と、上仕切板と、左仕切板と、右仕切板とを備え、前記蓋板の一端とケースの上端とがヒンジ接合され、前記上仕切板の一端と蓋板におけるケースから離れる一端とが連結され、前記左仕切板の一端と蓋板の側端とが連結され、前記左仕切板と上仕切板との２つずつの隣接端が互いに連結され、前記右仕切板の一端と蓋板における左仕切板から離れる一端とが連結され、前記右仕切板と上仕切板との２つずつの隣接端が互いに連結される。
【０００６】
改善として、前記上仕切板における蓋板から離れる一端に上ガセット板が設けられており、前記上仕切板と上ガセット板とが蝶番を介して連結され、前記上ガセット板にケースのボトムに対応して磁石が設けられており、前記上ガセット板とケースとが磁石を介して連結され、前記左仕切板における蓋板から離れる一端に左ガセット板が設けられており、前記左仕切板と左ガセット板とが蝶番を介して連結され、前記左ガセット板にケースのボトムに対応して磁石が設けられており、前記左ガセット板とケースとが磁石を介して連結され、前記右仕切板における蓋板から離れる一端に右ガセット板が設けられており、前記右仕切板と右ガセット板とが蝶番を介して連結され、前記右ガセット板にケースのボトムに対応して磁石が設けられており、前記右ガセット板とケースとが磁石を介して連結される。
【０００７】
改善として、前記上ガセット板に第１の円弧形切欠きが設けられており、前記左ガセット板に第２の円弧形切欠きが設けられており、前記右ガセット板に第３の円弧形切欠きが設けられており、前記上ガセット板、左ガセット板及び右ガセット板が閉じる時に第１の円弧形切欠き、第２の円弧形切欠き及び第３の円弧形切欠きが切欠きを有する円を形成し、前記左ガセット板と右ガセット板が閉じる時に連結されず、前記上ガセット板、左ガセット板及び右ガセット板に全て透かし彫りの模様が設けられている。
【０００８】
改善として、前記蝶番は、第１の羽根と第２の羽根とを備え、前記第１の羽根と第２の羽根とが回転連結され、前記第２の羽根がＬ字状に折り曲げられ、前記第２の羽根と蓋とがネジを介して連結される。
【０００９】
改善として、前記ケースの上端に、供仏される平板が設けられており、前記蓋板における上仕切板から離れる一端と平板の一端とがヒンジ接合される。
【００１０】
改善として、前記蓋板の外面に縁起のよい図案が刻まれている。
【００１１】
改善として、前記引き出しは、仏像収容チャンバと、経書収容チャンバと、引出し部材とを備え、前記仏像収容チャンバと経書収容チャンバとが隣接し、前記引き出しにおける経書収容チャンバの上端にシュートが対称的に設けられており、前記シュート内に引出し板が設けられており、前記引出し板とシュートとが滑合し、前記引出し部材が経書収容チャンバのボトムに設けられ、前記引出し部材と引き出しとが滑合し、前記引出し部材の真中に切り欠きが設けられており、前記切り欠きが引出し部材の一端から他端まで貫通する。
【００１２】
改善として、前記引き出しの先端に長方形の切欠きが設けられており、前記引き出しの先端に縁起のよい図案が刻まれている。
【００１３】
改善として、前記仏壇全体は木質のものであり、前記ケースの左右両端に縁起のよい図案が刻まれている。
【００１４】
本考案は従来技術に比べたメリットは、構造が強固であり、ケースとカバー本体に全て縁起のよい図案又は透かし彫りの模様が刻まれており、外形がきれいで、ケースとカバー本体とが回転連結され、折り畳んで保管しやすく、引き出しが設けられており、引出しやすく、物を取りやすく、仏像収容チャンバと、経書収容チャンバと、仏像が置かれる平板と、貢ぎ物が置かれる引出し板と、線香が置かれる引出し部材とが設けられており、使用しやすいことである。
【図面の簡単な説明】
【００１５】
【図１】本考案に係る仏壇の折り畳み状態における第１概略構成図である。
【図２】本考案に係る仏壇の折り畳み状態における第２概略構成図である。
【図３】本考案に係る仏壇の使用状態における第１概略構成図である。
【図４】本考案に係る仏壇の使用状態における第２概略構成図である。
【図５】本考案に係る仏壇の分割状態における概略構成図である。
【図６】本考案に係る仏壇の第１概略構成図である。
【図７】本考案に係る仏壇の第２概略構成図である。
【図８】本考案に係る仏壇のケースと蓋の概略構成図である。
【図９】本考案に係る仏壇の引き出しの概略構成図である。
【図１０】本考案に係る仏壇の引出し部材の概略構成図である。
【図１１】図９におけるＡ箇所の部分拡大図である。
【図１２】図６におけるＢ箇所の部分拡大図である。
【考案を実施するための形態】
【００１６】
以下に添付図面を参照しながら、本考案に係る仏壇をさらに詳細に説明する。
【００１７】
添付図面１〜１２を参照する。ケース１と蓋２とを備え、前記ケース１の上端と蓋２の後端とが回転連結され、前記ケース１に引き出し３が設けられており、前記引き出し３とケース１とが滑合する仏壇。
【００１８】
前記蓋２は、蓋板４と、上仕切板５と、左仕切板６と、右仕切板７と、を備え、前記蓋板４の一端とケース１の上端とがヒンジ接合され、前記上仕切板５の一端と蓋板４におけるケース１から離れる一端とが連結され、前記左仕切板６の一端と蓋板４の側端とが連結され、前記左仕切板６と上仕切板５との２つずつの隣接端が互いに連結され、前記右仕切板７の一端と蓋板４における左仕切板６から離れる一端とが連結され、前記右仕切板７と上仕切板５との２つずつの隣接端が互いに連結される。蓋板４、上仕切板５、左仕切板６及び右仕切板７の間に、仏像が置かれるためのキャビティを組合せて構成して、仏像を保護する役割を果たすことができる一方、埃が仏像に落ちることを防止できる。
【００１９】
前記上仕切板５における蓋板４から離れる一端に上ガセット板８が設けられており、前記上仕切板５と上ガセット板８とが蝶番２２を介して連結され、前記上ガセット板８にケース１のボトムに対応して磁石２５が設けられており、前記上ガセット板８とケース１とが磁石２５を介して接続され、前記左仕切板６における蓋板４から離れる一端に左ガセット板９が設けられており、前記左仕切板６と左ガセット板９とが蝶番２２を介して連結され、前記左ガセット板９にケース１のボトムに対応して磁石２５が設けられており、前記左ガセット板９とケース１とが磁石２５を介して接続され、前記右仕切板７における蓋板４から離れる一端に右ガセット板１０が設けられており、前記右仕切板７と右ガセット板１０とが蝶番２２を介して連結され、前記右ガセット板１０にケース１のボトムに対応して磁石２５が設けられており、前記右ガセット板１０とケース１とが磁石２５を介して接続される。上ガセット板８と、左ガセット板９と、右ガセット板１０とは組合せられて、仏像を保護する役割を果たすことができる一方、埃が仏像に落ちることを防止できる。上ガセット板８、左ガセット板９、右ガセット板１０及びケース１のボトムに磁石２５が設けられている。仏壇を搬送するにあたって、ガセット板８、左ガセット板９、右ガセット板１０が開かれ、破損することを防止するように、仏壇が折り畳まれた後、上ガセット板８、左ガセット板９、右ガセット板１０は磁石２５を介してケース１のボトムに吸着され得る。
【００２０】
前記上ガセット板８に第１の円弧形切欠き１１が設けられており、前記左ガセット板９に第２の円弧形切欠き１２が設けられており、前記右ガセット板１０に第３の円弧形切欠き１３が設けられており、前記上ガセット板８、左ガセット板９及び右ガセット板１０が閉じる時に第１の円弧形切欠き１１、第２の円弧形切欠き１２及び第３の円弧形切欠き１３が切欠きを有する円を形成する。この切欠きを有する円は仏像が見られる窓口を形成する。円形の窓口は綺麗に見え、視覚的に快適である。前記左ガセット板９及び右ガセット板１０が閉じる時に連結されず、前記上ガセット板８、左ガセット板９及び右ガセット板１０に全て透かし彫りの模様が設けられており、仏壇の美観性が向上している。
【００２１】
前記蝶番２２は、第１の羽根２３と第２の羽根２４とを備え、前記第１の羽根２３と第２の羽根２４とが回転連結され、前記第２の羽根２４がＬ字状に折り曲げられ、前記第２の羽根２４と蓋２とがネジを介して連結される。
【００２２】
前記ケース１の上端に、供仏される平板１４が設けられており、前記蓋板４における上仕切板５から離れる一端と平板１４の一端とがヒンジ接合される。
【００２３】
前記蓋板４の外面に縁起のよい図案が刻まれており、仏壇がより綺麗になる。
【００２４】
前記引き出し３は、仏像収容チャンバ１５と、経書収容チャンバ１６と、引出し部材１７とを備え、前記仏像収容チャンバ１５と経書収容チャンバ１６とが隣接する。前記引き出し３の仏像収容チャンバ１５と経書収容チャンバ１６を特別に設けて、仏壇がより便利に用いられ、品物がより秩序的に置かれる。前記経書収容チャンバ１６の上端にシュート１８が対称的に設けられており、前記シュート１８内に引出し板１９が設けられており、前記引出し板１９とシュート１８とが滑合する。引出し板１９には、貢ぎ物が置かれるためのステージが形成され、仏壇がより便利に用いられる。前記引出し部材１７が経書収容チャンバ１６のボトムに設けられ、前記引出し部材１７と引き出し３とが滑合し、前記引出し部材１７の真中に切り欠き２０が設けられており、前記切り欠き２０が引出し部材１７の一端から他端まで貫通する。切り欠き２０には、線香が置かれるための場所が形成され、仏壇がより便利に用いられる。線香が折れやすいので、線香が置かれるための切り欠き２０を設けることで線香を保護する役割を果たすことができる。
【００２５】
前記引き出し３の先端に長方形の切欠き２１が設けられており、引出しがより便利に引き出される。前記引き出し３の先端に縁起のよい図案が刻まれており、仏壇がより綺麗になる。
【００２６】
前記仏壇全体は木質のものであり、前記ケース１の左右両端に縁起のよい図案が刻まれており、仏壇がより綺麗になる。
【００２７】
本考案は、具体的に実施される場合、図１及び図２は仏壇が折り畳まれる状態を示し、体積が小さく、輸送しやすい。
【００２８】
図３及び図４は仏壇の使用状態を示す。使用時に図１及び図２に示す状態における仏壇を図３及び図４に示す状態における仏壇のように展開する必要がある。具体的な展開及び使用方式は下記の通りである。まず折り畳み状態における仏壇の上仕切板５を上にし、地面に垂直であるように蓋板４を置いた後、上仕切板５と上ガセット板８とのヒンジ接合する箇所を回転軸とし、上ガセット板８を回して、上ガセット板８を上仕切板５に垂直である状態から上仕切板５と平行である状態に回転させる。左仕切板６と左ガセット板９とのヒンジ接合する箇所を回転軸とし、左ガセット板９を回して、左ガセット板９を左仕切板６に垂直である状態から左仕切板６と平行である状態に回転させる。右仕切板７と右ガセット板１０とのヒンジ接合する箇所を回転軸とし、右ガセット板１０を回して、右ガセット板１０を右仕切板７に垂直である状態から右仕切板７と平行である状態に回転させる。ケース１と蓋２との回転連結する箇所を回転軸とし、ケース１のボトム面が地面に至るまでケース１における引き出し３が設けられた一端を地面に近接する方向に回転させる。その後、ケース１に垂直であるように蓋２を回転させた後、上ガセット板８を上仕切板５と平行である状態から上仕切板５に垂直である状態に回転させ、左ガセット板９を左仕切板６と平行である状態から左仕切板６に垂直である状態に回転させ、右ガセット板１０を右仕切板７と平行である状態から右仕切板７に垂直である状態に回転させる。この場合、蓋板４、上仕切板５、左仕切板６、右仕切板７、上ガセット板８、左ガセット板９、右ガセット板１０及び平板１４は仏像が置かれる空間を形成して、仏像を保護する役割を果たすことができる一方、埃が仏像に落ちることを防止できる。第１の円弧形切欠き１１、第２の円弧形切欠き１２及び第３の円弧形切欠き１３は仏像を見る窓口を形成する。
【００２９】
引き出し３を引き出して、仏像を仏像収容チャンバ１５から取り出し、平板１４に置き、仏像に礼拝することが容易になるように、仏像を仏像観察窓口の真中に位置させる。経書収容チャンバ１６には経書等の品物を置くことができる。経書収容チャンバ１６における品物を出し入れしやすいように、引出し板１９はシュート１８を摺動できる。引出し板１９に貢ぎ物、香炉を置くことができる。引き出し３を閉める場合、引出し板１９を完全にシュート１８に滑り込ませることが必要である。引出し部材１７を引き出して、切り欠き２０内に線香を置くことができる。線香を用いる場合、直接引出し部材１７を引き出して、切り欠き２０内から線香を取り出した後、引出し部材１７を引き出し３内に押せばよい。
【００３０】
本考案の説明においては、用語「上」、「下」、「左」、「右」、「トップ」、「ボトム」、「内」、「外」等が示す方位又は位置関係は、添付図面に示す方位又は位置関係に基づくものである。示される装置又は素子が所定の方位を有し、所定の方位で構成、操作しなければならないことを表示又は示唆するものではなく、本考案の説明の便宜、及び説明の簡略化のためのものに過ぎない。そのため、本考案を制限するものと理解できない。
【００３１】
以上、本考案及びその実施の態様を説明したが、この説明は制限性を有せず、添付図面に示すのも本考案の実施の態様の一つに過ぎず、実際の構造がこれに制限されるものではない。つまり、当業者がその示唆を受け、本考案の趣旨を逸脱することなく、創造性なしで設計された前記技術方案と同様な構造方式及び実施例は、全て本考案の保護範囲に属すべきである。
【符号の説明】
【００３２】
１    ケース
２    蓋
３    引き出し
４    蓋板
５    上仕切板
６    左仕切板
７    右仕切板
８    上ガセット板
９    左ガセット板
１０    右ガセット板
１１    第１の円弧形切欠き
１２    第２の円弧形切欠き
１３    第３の円弧形切欠き
１４    平板
１５    仏像収容チャンバ
１６    経書収容チャンバ
１７    引出し部材
１８    シュート
１９    引出し板
２０    切り欠き
２１    長方形の切欠き
２２    蝶番
２３    第１の羽根
２４    第２の羽根
２５    磁石
【図１】
0003225516.tif 000003
【図２】
0003225516.tif 000004
【図３】
0003225516.tif 000005
【図４】
0003225516.tif 000006
【図５】
0003225516.tif 000007
【図６】
0003225516.tif 000008
【図７】
0003225516.tif 000009
【図８】
0003225516.tif 000010
【図９】
0003225516.tif 000011
【図１０】
0003225516.tif 000012
【図１１】
0003225516.tif 000013
【図１２】
0003225516.tif 000014